(57)【特許請求の範囲】
【請求項１】
ディスク状の情報記録媒体と、該情報記録媒体を収納したカートリッジケースと、該カートリッジケースの表，裏面に設けた記録及び／又は再生用の開口部を開閉するシャッターと、該シャッターを上記カートリッジケースに対して上記開口部を開閉する方向に移動可能に取付けたスライド部材とを備えていて、
上記シャッターは、上記カートリッジケースの表，裏面の一方の面に設けた記録及び／又は再生用の開口部を開閉する第１のシャッター板と、他方の面に設けた記録及び／又は再生用の開口部を開閉する第２のシャッター板とに分割されている情報記録媒体カートリッジおいて、
上記スライド部材は、上記第１のシャッター板を取付ける第１のスライド部と、上記第２のシャッター板を取付ける第２のスライド部に分割され、
上記第１，第２のスライド部は、上記スライド部材を移動方向に分割することにより形成されたシャッター板取付部と、上記スライド部材を肉厚方向に分割することにより上記シャッター板取付部の一側部に、該シャッター板取付部の移動方向の長さの略半分の長さに突出形成されたステージ部を備えていて、
上記第１，第２のスライド部の一方のスライド部のシャッター板取付部の一部は、他方のスライド部のステージ部上に重ね合わせた状態で支持されていることを特徴とする情報記録媒体カートリッジ。
【請求項２】
請求項１において、
上記ステージ部は、上記シャッター板取付部の一側部の下部に、上記シャッター板取付部の幅と略同じ幅に形成されていることを特徴とする情報記録媒体カートリッジ。
【請求項３】
請求項１において、
上記第１，第２のスライド部は、同じ形状かつ同じ大きさに形成されていることを特徴とする情報記録媒体カートリッジ。
【発明の詳細な説明】
【０００１】
【発明の属する技術分野】
本発明は、磁気ディスクや光ディスク或は光磁気ディスクや相変化型光デイスク等の情報記録媒体を収納した情報記録媒体カートリッジに関するものである。
【０００２】
【従来の技術】
情報記録媒体カートリッジとして、例えば図２４に示したものが知られている。
【０００３】
上記情報記録媒体カートリッジ（以下、単にカートリッジという）１０１は、表，裏両面に記録層を設けた光ディスクや光磁気ディスク等の情報記録媒体（以下、ディスクという）１０２と、該ディスク１０２を回転可能に収納したカートリッジケース（以下、シェルという）１０３と、該シェル１０３にスライド可能に取付けられていて、該シェル１０３の裏，表面に設けた記録及び／又は再生用の開口部（以下、単に開口部という）１０４を開閉するシャッター１０５とを備えている。
【０００４】
上記シャッター１０５は、上記シェル１０３の表面側の開口部１０４を開閉する第１のシャッター板１０６と、上記シェル１０３の裏面側の開口部１０４を開閉する第２のシャッター板１０７とを備えている。上記シャッター１０５は、金属板を折り曲げることにより略コ字状に形成されていて、上記シェル１０３の表，裏面の開口部１０４を同時に開閉する。
【０００５】
上記カートリッジ１０１は、記録及び／又は再生装置（以下、ドライブ装置という）に装着されると、該ドライブ装置に設けられたシャッター操作部材でシャッター１０５が駆動操作され、上記シェル１０３の表，裏両面の開口部１０４が同時に開放されるようになっている。
【０００６】
そして、図２５に示したように、上記カートリッジ１０１は、上記ディスク１０２がシェル１０３の裏面側の開口部１０４を介して、ドライブ装置のターンテーブル３０１にチャッキングされて回転駆動されると共に、上記裏面側の開口部１０４を介して光学ピックアップ３０２により、上記ディスク１０２への記録及び／又は再生が行われるようになっている。
【０００７】
ところで、上記従来の第１，第２のシャッター板１０６，１０７を一体に形成したシャッター１０５を使用したディスク１０１は、記録及び／又は再生のために上記シェル１０３の裏面側の開口部１０４を開くと、記録及び／又は再生に直接関係しない場合でも上記シェル１０３の裏面側の開口部１０４も開かれて、該表面側の開口部１０４からシェル１０３内に侵入した塵埃３０３等がディスク１０２の上面に付着、堆積するという不具合があった。上記塵埃等の付着は高密度記録の大容量のディスクにとって見過ごすことのできない悪影響を及ぼす。
【０００８】
上記不具合を解消するものとして、図２６に示した分割シャッターを使用したカートリッジ２０１が開発された。上記カートリッジ２０１において、シャッター２０５は、シェル２０３の表面２０３ａ側の開口部２０４を開閉する第１のシャッター板２０６と、上記シェル２０３の裏面２０３ｂ側の開口部２０４を開閉する第２のシャッター板２０７とからなっていて、これら第１，第２のシャッター板２０６，２０７は、単独で移動して、上記開口部２０４を独自に開閉するようになっている。
【０００９】
上記第１，第２のシャッター板２０６，２０７は、スライド部材２１０に取り付けられている。上記スライド部材２１０は、上記第１のシャッター板２０６を取付ける第１のスライド部２１１と、上記第２のシャッター板２０７を取付ける第２のスライド部２１２に分割されている。上記第１，第２のスライド部２１１，２１２は、上記スライド部材２１０を移動方向に垂直に２分割することにより形成されている。
【００１０】
上記分割シャッターを使用したカートリッジ２０１がドライブ装置に装着されると、該ドライブ装置に設けられたシャッター開放部材で、上記第２のシャッター板２０７のみが駆動操作されて、上記シェル２０３の裏面２０３ｂ側の開口部２０４のみが開放され、図２７に示したように、上記シェル２０３の裏面２０３ｂ側の開口部２０４を介して、ディスク２０２はドライブ装置のターンテーブル３０１にチャッキングされて回転駆動されると共に、光学ピックアップ３０２により、上記ディスク２０２への記録及び／又は再生が行われるようになっている。一方、上記第１のシャッター板２０６は、上記シェル２０３の表面２０３ａ側の開口部２０４を閉塞していて、該開口部２０４からの塵埃３０３等のシェル２０３内への侵入を防止している。
【００１１】
【発明が解決しようとする課題】
ところで、上記従来の分割シャッターを用いたカートリッジ２０１において、上記第１，第２のスライド部２１１，２１２は、上記スライド部材２１０を単純に移動方向に垂直に２分割することにより形成されていたために、例えば、図２８に示したように、上記第１，第２のスライド部２１１，２１２が傾斜して、上記第１，第２のシャッター板２０６，２０７を、上記シェル２０３の表，裏面２０３ａ，２０３ｂから浮き上がらせて、上記第１，第２のシャッター板２０６，２０７と上記シェル２０３の表，裏面２０３ａ，２０３ｂの間に隙間Ｇを発生させて塵埃の侵入の原因になるという問題点があった。
【００１２】
【課題を解決するための手段】
本発明は、上記シャッターを、上記カートリッジケースの表，裏面の一方の面に設けた記録及び／又は再生用の開口部を開閉する第１のシャッター板と、他方の面に設けた記録及び／又は再生用の開口部を開閉する上記第２のシャッター板とに分割すると共に、上記スライド部材を、上記第１のシャッター板を取付ける第１のスライド部と、上記第２のシャッター板を取付ける第２のスライド部に分割した情報記録媒体カートリッジおいて、
上記第１，第２のスライド部に、上記スライド部材を移動方向に分割することにより形成されたシャッター板取付部と、上記スライド部材を肉厚方向に分割することにより上記シャッター板取付部の一側部に、該シャッター板取付部の移動方向の長さの略半分の長さに突出形成されたステージ部を設け、上記第１，第２のスライド部の一方のスライド部のシャッター板取付部の一部を、他方のスライド部のステージ部上に重ね合わせた状態で支持することにより、上記第１，第２のスライド部が傾斜するのを防止して、
上記第１，第２のシャッター板が上記シェルの表，裏面から浮き上がったりするの防止することが出来るようにした。
【００１３】
【発明の実施の形態】
次に、本発明の情報記録媒体カートリッジを（１）全体の概略構成、（２）ディスクの構成、（３）シェルの構成、（４）シャッターの構成、（５）スライド部材の構成、（６）他の実施例、（７）作用の各項に分けて説明する。
（１）情報記録媒体カートリッジ全体の概略構成
図１は所謂シャッターを閉じた状態の情報記録媒体カートリッジ（以下、カートリッジという）１を表面側から見た斜視図、図２は同裏面側から見た斜視図、図３は裏面側のシャッターを開いた状態の斜視図、図４は同裏面側から見た斜視図である。上記カートリッジ１は、表，裏両面に記録及び／又は再生可能な所謂両面使用のカートリッジとして構成されている。
【００１４】
上記カートリッジ１は、ディスク状の情報記録媒体（以下、ディスクという）２と、該ディスク２を回転可能に収納したカートリッジケース（以下、シェルという）３と、該シェル３の表，裏両面に設けられた記録及び／又は再生用の開口部（以下、開口部という）３１と、該開口部３１を開閉するシャッター４とを備えている。
【００１５】
上記シャッター４は、上記シェル３の表面側（後に説明する上ハーフ３２側）に設けた開口部３１を開閉する第１のシャッター板４１と、上記シェル３の裏面側（後に説明する下ハーフ３３側）に設けた開口部３１を開閉する第２のシャッター板４２とを備えている。
【００１６】
上記第１，第２のシャッター板４１，４２は、図１，図２示す上記開口部３１を閉塞する第１の位置と、図３，図４に示す開口部３１を開放する位置との間をそれぞれ独立に移動するようになっている。
【００１７】
上記シャッター４を構成する第１，第２のシャッター板４１，４２は、上記シェル３の表，裏面に設けた開口部３１よりもやや大き目の上記開口部３１を完全に閉塞するのに必要な大きさで、かつ上記開口部３１を閉塞する第１の位置おいて、これら第１，第２のシャッター板４１，４２は、シェル３の肉厚方向において略一致して相重なり合う幅Ｗ（大きさ）に形成されている。実施例において、上記第１，第２のシャッター板４１，４２には、同一部材が使用されている。
【００１８】
上記第１のシャッター板４１は、上記開口部３１を閉塞する第１の位置から矢印Ａ方向にスライドして上記開口部３１を開放する第２の位置に移動するようになっている。また、上記第２のシャッター板４２は、上記矢印Ａ方向とは逆の矢印Ｂ方向にスライドして上記開口部３１を閉塞する第１の位置から上記開口部４を開放する第２の位置に移動するようになっている。
【００１９】
上記シェル３の表，裏面には、上記開口部３１を中心にして、その一側部に上記第１，第２のシャッター板４１，４２の移動エリア５が設けられ、他側部にインデックスカード等のラベル貼着エリア６が設けられている。上記第１，第２のシャッター板４１，４２は、後に詳しく説明するスライド部材７によりシェル３にスライド可能に取付けられている。
（２）ディスクの構成
図５に示したように、上記ディスク２は、円盤状の記録媒体本体部２１と、該記録媒体本体部２１の中央部に設けられたセンターハブ２２を有している。
【００２０】
上記記録媒体本体部２１は、例えば図６に示したように、ポリカーボネート（ＰＣ）の基板２３の内面に記録層２４を設け、外面に保護層２５を設けた第１，第２の成膜済基板の記録媒体２６，２７を重ね合わせて接着層２８で接着することにより形成されている。上記ディスク２は、センターハブ２３がドライブ装置のターンテーブル３０２にチャッキングされ、第１の記録媒体２６の記録層２４にドライブ装置の光学ピックアップ装置３０２によって記録及び／又は再生が可能になると共に、上記ディスク２を裏返すことにより、上記光学ピックアップ装置３０２により、上記第２の記録媒体２７の記録層２４への記録及び／又は再生が可能になる。上記記録媒体本体部２１は、数ＧＢ〜４０ＧＢ（ギガバイト）の高容量に形成されている。
【００２１】
上記センターハブ２２は、当然のことながら上記ディスク２の第１の記録媒体２６の記録層２４に記録及び／又は再生する場合は勿論のこと、上記ディスク２を裏返して装着し、上記第２の記録媒体２７の記録層２４に記録及び／又は再生を行う場合でも上記ディスク２をドライブ装置のターンテーブル３０１に確実にチャッキングできる構成になっている。
（３）シェルの構成
上記シェル３は、幅方向（シャッタースライド方向）の中央部に上記開口部３１を設けた上ハーフ３２と下ハーフ３３の前、後、左、右の周壁３４ａ，３４ｂ，３４ｃ，３４ｄ相互を突き合わせて複数のビス３５で結合することにより形成されている。上記ビス３５の頭部が見えるのが裏面側である。
【００２２】
上記シェル３は、上，下ハーフ３２，３３の前後周壁３４ａの内側がディスク収納部３６になっていると共に、上記上，下ハーフ３２，３３の前周壁３４ａの外側がスライド部材組付部３７になっている。
【００２３】
そして、上記ディスク収納部３６内に収納されたディスク２の記録媒体本体部２１の表，裏面及びセンターハブ２２の表，裏面が上記上，下ハーフ３２，３３の開口部３１に臨むようになっている。
【００２４】
上記上，下ハーフ３２，３３の外面に、上下シャッタースライドエリア５とラベル貼着エリア６が設けられている。上記シャッタースライドエリア５は、上記上，下ハーフ３２，３３の外面から上記第１，第２のシャッター板４１，４２の略肉厚ぶんだけ低い位置に形成されていて、上記上，下ハーフ３１，３２のシャッタースライドエリア５に第１，第２のシャッター板４１，４２を重ね合わせたときに上記上，下ハーフ３２，３３の外面と上記第１，第２のシャッター板４１，４２の外面とが略面一及びもしくは若干低くなるようになっている。また、上記シャッタースライドエリア５の上，下ハーフ３２，３３の後周壁３４ｂ側の端部は、更に一段低いシャッター端部挿入部５１になっている。そして、図７に示したように、上記シャッター端部挿入部５１に上記第１，第２のシャッター板４１，４２の端部４５が挿入されていて、上記端部４５は、上記シャッター端部挿入部５１内に取付けられたスライドガイド板５２によって上記上，下ハーフ３２，３３の外面から浮き上がる（捲れ上がる）のを防止されて、上記第１，第２のシャッター板３２，３３は円滑にスライドを保証されるようになっている。
【００２５】
また、上記ラベル貼着エリア６は、上記上，下ハーフ３２，３３の外面から貼着シートの略肉厚ぶんだけ低くなった位置に形成されていて、図８に示したように上記シート貼着エリア６に２点鎖線で示すシート６２を貼着したときに、上記上，下ハーフ３２，３３の外面と上記シートの外面とが略面一及びもしくは若干低くになるようになっている。
【００２６】
図５に示したように、上記上，下ハーフ３２，３３のスライド部材組付部３７の内面には、スライド部材７をスライド可能に取付けるガイド突起３８が設けられている。図９に示したように、上記ガイド突起３８は、上記上，下ハーフ３２，３３の前周壁３４ａの外側に、これら前周壁３４ａと所定の間隔Ｄ１をもって略平行に形成されている。また、上記上，下ハーフ３２，３３のガイド突起３８は、上，下ハーフ３２，３３を結合した状態において、所定の間隔Ｄ２をもって対向するようになっていて、上記間隔Ｄ２から後に詳しく説明するスライド部材７の組付脚部７７を上記上，下ハーフ３２，３３のガイド突起３８，３８の間隔及び上記ガイド突起３８と前周壁３４ａの間に挿入可能になっている（図７参照）。
【００２７】
上記上，下ハーフ３２，３３のガイド突起３８には、上記スライド部材７の組付脚部７７の挿入を容易にするための所謂面取り状の傾斜面３８ａが設けられている。また、上記上，下ハーフ３２，３３のガイド突起３８の長さ方向（スライド部材移動方向）の中央部には上記ガイド部材６及びこれに取付けられたシャッター４を上記開口部３１を閉塞する第１の位置にセットする位置決め突起３９が設けられている。
【００２８】
上記シェル３は、成形性及び機械的強度に優れた合成樹脂、例えばポリカーボネート（ＰＣ）やＡＢＳ樹脂等により形成されている。
（４）シャッターの構成
上記シャッター４は、上記上ハーフ３２の開口部３１を開閉する第１のシャッター板４１と、下ハーフ３３の開口部３１を開閉する第２のシャッター板４２とに分割されている。
【００２９】
上記第１，第２のシャッター板４１，４２は、上記開口部３１を完全に閉塞できるように上記開口部３１よりも若干大き目の幅Ｗと長さＬの長方形状に形成されたシャッター本体部４３と、該シャッター本体部４３の長さ方向の一端部に設けられたスライド部材取付部４４と、上記シャッター本体部４３の長さ方向の他端部に設けられていて、上記上，下ハーフ３２，３３のシャッタースライドエリア５の一端部のシャッター端部挿入部５１内に挿入される被挿入側の端部４５とを備えている。
【００３０】
図１０に示したように、上記スライド部材取付部４４は、上記シャッター本体部４３の一端部に略直角に連設された該シャッター本体部４３よりも幅狭の略直角の第１折曲部４６と、該第１折曲部４６の先端にシャッター本体部４３と重なり合う方向に略直角に連設された第２折曲部４７と、該第２折曲部４７の先端の両端部に上記シャッター本体部４３側に向けて略直角に連設された第３折曲部（以下、係合爪という）４８とを備えている。なお、上記第１折曲部４６にネジ孔４６ａを設け、該ネジ孔４６ａを介してネジ４６ｂにより、上記第１折曲部４６をスライド部材にネジ止めする構成にしてもよい。
【００３１】
上記被挿入側の端部４５は、上記シャッター本体部４３に対して段差Ｈをもたせた状態に形成されていて、上記スライドガイド板５２の下方のシャッター端部挿入部５１内に挿入されるようになっている。
【００３２】
上記第１，第２のシャッター板４１，４２は、所定の形状に打ち抜いたステンレススチールやアルミニウム等の金属板を折り曲げることにより或は合成樹脂等により形成されている。なお、本実施例では、上記第１，第２のシャッター板４１，４２は、同一部材を使用しているが、例えば、被挿入側の端部４５の形状を変えて、意図的に別部材としてもよい。
（５）スライド部材の構成
図１１，図１２に示したように、上記スライド部材７は、スライド方向（長さ方向）のパーティングラインＰＬ１や肉厚方向のパーティングラインＰＬ２等によって、上記第１のシャッター板４１を上記シェル３にスライド可能に取付ける第１のスライド部７１と、上記第２のシャッター板４２を上記シェル３にスライド可能に取付ける第２のスライド部７２とに分割されている。
【００３３】
上記第１，第２のスライド部７１，７２は、上記第１のシャッター板４１又は第２のシャッター板４２のいずれか一方を取付けるシャッター板取付部７３と、該シャッター板取付部７３の底部の一側部に、該シャッター取付部７３の幅と略同じ幅で、かつ該シャッター取付部７３の長さの略半分の長さに形成されていて、他方のスライド部材のシャッター取付部が載置されるステージ部７４と、上記シャッター板取付部７３のスライド方向の一端側の上面に設けられていて、ドライブ装置のシャッター開放部材（図示省略）が係合するシャッター開放部材係合部材７５と、上記シャッター板取付部７３のスライド方向の一端部（上記シャッター開放部材係合部７５）の下面に設けられたシェル３への一対の第１の組付脚部７６と、上記シャッター板取付部７３の中央部の下面に設けられた一対の第２の組付脚部７７と、上記第１，第２のスライド部７１，７２の一対の第１の組付脚部７６間に設けられたバネ係止部７８とを備えている。上記組付脚部７６，７７は、外側面に上記上，下ハーフ３２，３３のガイド突起３８が導入される溝状の凹部７９を備えている。
【００３４】
上記第１，第２のスライド部７１，７２は、同形、同大に形成されていて、第１のスライド部７１のシャッター板取付部７３を第２のスライド部７２のステージ部７４上に載置すると共に、上記第２のスライド部７２のシャッター板取付部７３を第１のスライド部７１のステージ部７４上に載置し、上記第１，第２のスライド部７１，７２に設けたバネ係止部７８に、バネ部材（コイルスプリング）８０の一端部と他端部がそれぞれ係止されている。
【００３５】
そして、上記バネ部材８０により上記第１，第２のスライド部７１，７２は、互に牽引されて、上記第１のスライド部７１のシャッター板取付部７３の先端が上記第２のスライド部７２のシャッター開放部材係合部７５に当接し、上記第２のスライド部７２のシャッター板取付部７３の先端が上記第１のスライド部７１のシャッター開放部材係合部７５に当接して、図１１に示したように、上記第１，第２のスライド部７１，７２は、互に結合された状態になる。
【００３６】
上記シャッター板取付部７３の先端とシャッター開放部材係合部７５の当接部には、互に嵌まり合う凸部８１と凹部８２が設けられていて、これら凸部８１と凹部８２の嵌合により、結合状態における上記第１，第２のスライド部７１，７２の位置ズレ（浮き上がり）を防止するようになっている。
【００３７】
上記第１，第２のシャッター板取付部７３の内面側の両端部には、所謂面取り状の傾斜面８３が設けられていると共に、該傾斜面８３の下端には爪係合部８４が設けられている。上記第１，第２の組付脚部７６，７６、７７，７７の間は、バネ部材８０の収納空間になっている。
【００３８】
上記バネ係止部７８は、図１２，図１３に示したように、上記第１の組付脚部７６の外側面よりも内側に形成されていて、バネ部材８０が上記第１，第２のシャッター板取付部７３の下面内に収まる状態で取付けられるようになっている。
【００３９】
図１３に示したように、上記バネ部材８０によって結合された第１，第２のスライド部７１，７２の底面の中央部の第２の組付脚部７７，７７間には、上記上，下ハーフ３２，３３のガイド突起３８の中央部に設けた位置決め突起３９が挿入される隙間８５が形成されている。
【００４０】
上記バネ部材８０によって結合された第１，第２のスライド部７１，７２は、図１４、図１５に示したように、上記隙間８５を上記シャッター位置決め突起３９の位置に合わせた状態で、上記組付脚部７６，７７側から上記上，下ハーフ３２，３３の間のスライド部材組付部３７に挿入される。上記第１，第２のスライド部７１，７２が挿入されると、上記組付脚部７６，７７の下端外側の傾斜面７６ａ，７７ａが上記ガイド突起３８の傾斜面３８ａに当接し、図１６に示したように、上記組付脚部７６，７７は、内側に弾性変形する。
【００４１】
上記組付脚部７６，７７が上記ガイド突起３８を乗り越えると、上記組付脚部７６，７７は、図１７に示したように、弾性復帰して、上記組付脚部７６，７７の外側面に設けた溝状の凹部７９内に上記ガイド突起３８が導入されると共に、図１８に示したように、上記第１，第２のスライド部７１，７２の第２の組付脚部７７，７７間の隙間８５に、上記上，下ハーフ３２，３３のガイド突起３８の中央部に設けたシャッター位置決め突起３９が侵入して、上記第１，第２のスライド部７１，７２は、上記第１，第２のシャッター板４１，４２で上記上，下ハーフ３２，３３の開閉部３１を閉塞する第１の位置にセットされる。
【００４２】
上記第１，第２のスライド部７１，７２は、上記上，下ハーフ３２，３３に設けたガイド突起３８に沿って円滑にスライドするように、潤滑性や耐磨耗性等に優れたポリカーボネートやポリアセタール或はポリプロピレン等の合成樹脂で形成されている。なお、上記第１，第２のスライド部７１，７２は、同形、同大であり、即ち同一部材として構成してもよいものであり、或は組立上、色分けしてもよい。
【００４３】
次に、上記第１，第２のシャッター板４１，４２の第１，第２のスライド部７１，７２への組付け方法について説明する。
【００４４】
上記第１，第２のシャッター板４１，４２の第１，第２のスライド部７１，７２への組付けは、図１９に示したように、上記第１，第２のスライド部７１，７２をシェルに組付けたのち、その上方から上記スライド部材取付部４４を下降させて該スライド部材取付部４４内に上記第１，第２のスライド部７１，７２のシャッター板取付部７３を挿入することにより行われる。
【００４５】
上記第１，第２のシャッター板４１，４２のスライド部材取付部４４の第２折曲部４７と係合爪４８を、上記第１，第２のスライド部７１，７２間に挿入すると、図２０に示したように、上記スライド部材取付部４４の係合爪４８が上記傾斜面８３に当接して、該傾斜面８３によって上記係合爪４８及び第２折曲部４７は、上記シャッター本体部４３との離間する方向に弾性変形して、上記第１，第２のスライド部７１，７２の更なる挿入を許容する。
【００４６】
上記第１，第２のシャッター板４１，４２の第１折曲部４６の内面が上記第１，第２のスライド部７１，７２の先端面に当接する位置まで挿入されると、上記係合爪４８は、上記傾斜面８３の位置から外れる。
【００４７】
上記係合爪４８が上記傾斜面８３から外れると、図２１に示したように、上記傾斜面８３によって上記係合爪４８を介して押圧されて弾性変形していた第２折曲部４７は、弾性復帰して上記係合爪４８が上記爪係合部８４に係合し、上記第１，第２のシャッター板４１，４２は、上記第１，第２のスライド部７１，７２を介してスライド可能にシェル３に取付けられた状態になるのである。
（６）他の実施例
他の実施例として、図５に示したようなシャッター取付用のネジ４６ｂを使用せずに上記第１，第２のシャッター板４１，４２と第１，第２のスライド部７１，７２の結合強度の向上を図った場合を示す。
【００４８】
図２２に示す実施例においては、第１，第２のシャッター板４１，４２のスライド部材取付部４４の第１折曲部４６の上面の一部を凹ませて円形状凹部９１を形成すると共に、該凹部９１の底面に孔９２を形成する。一方、上記第１，第２のスライド部７１，７２のシャッター板取付部７３の上面には上記孔９２よりもやや大径の凸部９３を突設し、上記第１折曲部４６を上記シャッター板取付部７３の上面に重ね合わせると、上記孔９２を介して、上記凸部９３が上記凹部９１内に圧入されて、上記第１折曲部４６とシャッター板取付部７３の位置決めと両者の結合強度の向上を図るようになっている。上記凸部９３の上端には抜止用の大径部９４を設けてもよい。
【００４９】
図２３に示す実施例においては、図２２に示す実施例の場合と同様に、第１，第２のシャッター板４１，４２のスライド部材取付部４４の第１折曲部４６の上面の一部を凹ませて円形状凹部９１を形成すると共に、該凹部９１の底面に孔９２を形成する。一方、上記第１，第２のスライド部７１，７２のシャッター板取付部７３の上面には上記孔９１よりも小径の凸部９５が突設されている。そして、上記第１折曲部４６を上記シャッター板取付部７３の上面に重ね合わせ、上記孔９２を介して、上記凸部９５を上記凹部９１内に突出させたのち、超音波溶着装置のホーン１００を押し当てて上記凸部９５の先端を溶融して、上記孔９２よりも大径の頭部（図示省略）をカシメ形成することにより上記第１折曲部４６とシャッター板取付部７３の位置決めと両者結合強度の向上を図るようになっている。
（７）作用
図１に示したように、上記上ハーフ３２を上にし、下ハーフ３３を下にした姿勢（以下、正規の姿勢という）で上記カートリッジ１をドライブ装置に挿入すると、該ドライブ装置に設けたシャッター開放部材が第２のスライド部７２のシャッター開放部材係合部７５に係合して、上記第２のスライド部７２は、矢印Ｂ方向にスライドし、図２に裏返して示したように、上記第２のスライド部７２に取付けられている第２のシャッター板４２を上記下ハーフ３３の開口部３１を開放する第２の位置に移動させる。このとき、上記第２のスライド部７２は、一側部が上記組付脚部７６，７７の溝状の凹部７９と上記上，下ハーフ３２，３３に設けたガイド突起３８とによってガイドされ、他側部が上記第１のスライド部材７１のステージ部７４によってガイドされて、傾斜したりすることなく円滑にスライドする。
【００５０】
そして、上記下ハーフ３３の開口部３１を介して、図６に示したように、上記ディスク２のセンターハブ２２はドライブ装置のターンテーブル３０１にチャッキングされて回転されると共に、光学ピックアップ３０２により、上記ディスク２の第１の記録媒体２６の記録層２４への記録及び／又は再生が行われる。
【００５１】
また、図２に示したように、下ハーフ３３を上にし、上ハーフ３２を下にした姿勢（以下、逆の姿勢という）で上記カートリッジ１をドライブ装置に挿入すると、上記ドライブ装置に設けたシャッター開放部材が上記第１のスライド部７２のシャッター開放部材係合部７５に係合して、上記第１のスライド部７１は、一側部が上記組付脚部７６，７７の溝状の凹部７９と上記上，下ハーフ３２，３３に設けたガイド突起３８とによってガイドされ、他側部が上記第２のスライド部材７２のステージ部７４によってガイドされて、矢印Ｂ方向にスライドし、図４に裏返して示したように、上記第１のスライド部７１に取付けられている第１のシャッター板４１を上記上ハーフ３２の開口部３１を開放する第２の位置に移動させる。そして、上記上ハーフ３２の開口部３１を介して、上記ディスク２のセンターハブ２２はドライブ装置のターンテーブル３０１にチャッキングされて回転されると共に、光学ピックアップ３０２により、上記ディスク２の第２の記録媒体２７の記録層２４への記録及び／又は再生が行われる。
【００５２】
そして、上記正規の姿勢での記録及び／又は再生を行う場合も逆の姿勢で記録及び／又は再生を行う場合も記録及び／又は再生に直接関与しない他方（上方）の開口部３１は閉じられた状態に維持されるので、該他方の開口部３１からシェル３内に塵埃等が侵入して、ディスク１の表面に付着することが防止される。
【００５３】
図３に示す第１のシャッター板４１を第１の位置から第２の位置に移動させる場合と、図４に示す第２のシャッター板４２を第１の位置から第２の位置に移動させる場合も、上記第１，第２のシャッター板４１，４２の移動方向は同じであるので、第１のシャッター板４１を開放するシャッター開放部材を第２のシャッター板４２を開放するシャッター開放部材として兼用できる。
【００５４】
【発明の効果】
本発明の情報記録媒体カートリッジには次に述べるような効果がある。
【００５５】
（１）請求項１の情報記録媒体カートリッジは、第１，第２のスライド部の一方のスライド部のシャッター板取付部の一部を、他方のスライド部のステージ部で支持することにより、上記第１，第２のスライド部が互いに傾斜するのを防止し、これにより、上記第１，第２のシャッター板が上記シェルの表，裏面から浮き上がったりするのを防止する。
【００５６】
（２）請求項２の情報記録媒体カートリッジは、上記ステージ部を上記シャッター板取付部の幅と略同じ幅に形成したので、上記ステージ部の存在により、上記スライド部の幅が拡大するのを防止することが出来る。また、上記ステージ部から上記シャッター板取付部が脱落するのを防止して上記シャッター板取付部を安定した状態でスライドさせることが出来る。
【００５７】
（３）請求項３の情報記録媒体カートリッジは、上記第１，第２のスライド部を、同じ形状でかつ同じ大きさに形成したので、両者を共用して部品点数の削減を図ることが出来る。
【図面の簡単な説明】
【図１】カートリッジを表面側から見た斜視図（シャッター閉状態）。
【図２】カートリッジを裏面側から見た斜視図（シャッター閉状態）。
【図３】カートリッジを表面側から見た斜視図（シャッター開状態）。
【図４】カートリッジを裏面側から見た斜視図（シャッター開状態）。
【図５】カートリッジの分解斜視図。
【図６】ディスクの断面図。
【図７】図１のａ−ａ断面図。
【図８】図１のｂ−ｂ断面図。
【図９】シェルの前周壁側の断面図。
【図１０】第１，第２のシャッター板の斜視図。
【図１１】スライド部材の斜視図。
【図１２】スライド部材の分解斜視図。
【図１３】スライド部材の底面図。
【図１４】シェルを組立てた状態の斜視図。
【図１５】シェルへのスライド部材の組付工程図。
【図１６】シェルへのスライド部材の組付工程図。
【図１７】シェルへのスライド部材の組付工程図。
【図１８】スライド部材が組付けられた状態の要部の側面図。
【図１９】シャッター板の組付工程図。
【図２０】シャッター板の組付工程図。
【図２１】シャッター板の組付工程図。
【図２２】他の実施例の断面図。
【図２３】他の実施例の断面図。
【図２４】従来の一体型シャッターを使用したカートリッジの斜視図。
【図２５】ドライブ装置へ装着した状態の断面図。
【図２６】従来の分割型シャッターを使用したカートリッジの要部の断面図。
【図２７】ドライブ装置へ装着した状態の断面図。
【図２８】従来例の問題点を示す断面図。
【符号の説明】
１…カートリッジ、２…ディスク、３…シェル、４…シャッター、７…スライド部材、３１…開口部、４１，４２…第１，第２のシャッター板、７１，７２…第１，第２のスライド部、７３…シャッター板取付部、７４…ステージ部。
【図１】
0003601472.tif 000002
【図２】
0003601472.tif 000003
【図３】
0003601472.tif 000004
【図４】
0003601472.tif 000005
【図５】
0003601472.tif 000006
【図６】
0003601472.tif 000007
【図７】
0003601472.tif 000008
【図８】
0003601472.tif 000009
【図９】
0003601472.tif 000010
【図１０】
0003601472.tif 000011
【図１１】
0003601472.tif 000012
【図１２】
0003601472.tif 000013
【図１３】
0003601472.tif 000014
【図１４】
0003601472.tif 000015
【図１５】
0003601472.tif 000016
【図１６】
0003601472.tif 000017
【図１７】
0003601472.tif 000018
【図１８】
0003601472.tif 000019
【図１９】
0003601472.tif 000020
【図２０】
0003601472.tif 000021
【図２１】
0003601472.tif 000022
【図２２】
0003601472.tif 000023
【図２３】
0003601472.tif 000024
【図２４】
0003601472.tif 000025
【図２５】
0003601472.tif 000026
【図２６】
0003601472.tif 000027
【図２７】
0003601472.tif 000028
【図２８】
0003601472.tif 000029